(57)【要約】【課題】英語初心者、特に児童が用いて有用な英単語練習帳を提供する。【解決手段】本発明の英単語練習帳は、しりとり可能な日本語単語が存在することの知見に基づいて、しりとり可能な日本語単語に英語ワードを付属させ、日本語単語及び英語ワードをセット化してなる単語セットを、日本語単語の頭を見て、「あいうえお」または「いろは」の五十順で収録し、これを赤子の離乳食の如く英語初心者に与え、ワード学習の起爆剤とすることを特徴とする。【選択図】図２
2015161857.tif 000002
【特許請求の範囲】
【請求項１】
しりとり可能な日本語単語に英語ワードを付属させ、日本語単語及び英語ワードをセット化してなる単語セットを、日本語単語の頭を見て、「あいうえお」または「いろは」の五十音順で収録したことを特徴とする英単語練習帳。
【請求項２】
各語を説明するページには、余白を設けたことを特徴とする請求項１記載の英単語練習帳。
【発明の詳細な説明】
【技術分野】
【０００１】
この発明は、英語初心者、特に児童が用いて有用な英単語練習帳に関する。
【背景技術】
【０００２】
英単語練習帳としては、動物、植物、人体、職業、道具など、ジャンル別に整理されたページに絵を描き、その絵の部位に英単語を当て、各部位を英語で説明するものが市販されている。
【０００３】
このジャンル別絵解き単語練習帳は、事物を絵で見て、その絵に併せて英単語を覚えることができるので、英語初心者、特に児童に喜ばれ、これが単語練習帳の一般的なやり方となっている。
【０００４】
ところが、この絵解き単語練習帳は、一見しては、たくさんの用語を記載可能で、英会話に必要な全ての単語を列挙できるかのように見えるが、実際には、ジャンルが多すぎ、最大公約数的な用語しか説明出来ず、これだけでは十分な単語練習はできないという問題点があった。
【０００５】
ちなみに、現在最も多く販売されていると考えられるある英単語練習帳（ワードブック）では、個人情報、家族１、家族２、日常生活１、２、教室、その動作１，２、住居、居間、食堂１，２、寝室、台所、赤ちゃん、育児、風呂・トイレ、身の回り、・・・職業１，２，３，４・・・と、百余りのジャンルを挙げて説明しているが、それでも不十分で、実際社会に合わせて説明すると、勢い十冊くらいの百科事典になり、到底全ては説明できないと言うのが実情となっている。
【０００６】
英語初心者、特に児童が覚えておきたい英単語は、実生活で見かけるものであり、所要の単語と練習帳との間に開きがあり、この間隙を埋める手段が見当たらない。
【０００７】
児童が持つ自主学習能力に応え、所要の英単語を効率良く学習できる英単語練習帳が必要となっている。
【発明の概要】
【発明が解決しようとする課題】
【０００８】
英単語練習は、一体、どこまでやればよいのであろうか。また、何が不足しているのであろうか。これは、英語という教科について、特に英単語の練習方法について、今一度考え直してみる必要がある。つまり、効率的に所要の英単語を覚えることのできる新規の方法が必要となっている。
【０００９】
ここで問題となる英単語練習は、今から英語を学ぶ初心者が対象となる。特に、十歳前後（小学五年生から中学一年生）の児童が対象となる。
【００１０】
この教育対象者が必要とする英単語は、日常的な基本用語であることは確かである。即ち、十歳前後の児童の生活環境から、たちまち知りたい英単語を自主的に学習できるようにしなければならない。喩えると、赤子に離乳食を与えて、食事を誘うように、最も知りたい英単語からの練習が必要である。
【００１１】
十歳前後の児童は、中学二、三年生になり、ある程度の実力が付けば、自ら辞書を引くことができるようになる。そのための糸口を作ってあげる必要がある。
【００１２】
この発明は、上記の問題点に鑑みて、英語初心者、特に十歳前後の児童に、今から英語学習を始めるときの起爆剤になる単語として、必要最小限の英単語を手っ取り早く覚えさせることができる英単語練習帳を提供することにある。
【課題を解決するための手段】
【００１３】
上記課題を解決するための本発明の英単語練習帳は、しりとり可能な日本語単語に英語を付属させ、各語を、日本語単語の頭を見て、「あいうえお」五十音または「いろは」の五十順で収録し、一冊の本となしたことを特徴とする。また、各語を説明するページには、余白を設けたことを特徴とする。
【００１４】
しりとり可能な日本語単語とは、実際、児童がしりとり遊びに用いる日本語単語のことをいい、具体的には、日本語で名詞と呼ばれている用語の内、擬音、擬態、数、配置、時間、固有名を除き、約五千個足らずの日本語として確定された事物名称に限定される。確定されたとは、意味が疑義なく確定しており、日本人なら百人中百人が知っているような名称のことを言う。しりとり可能な日本語単語は、日本語中最も基本的な用語であり、十歳前後の児童がたちまち知りたい英単語と一致する。しりとり可能な英単語を英語初心者に与えると、赤子に離乳食を与えた様なものであり、これを起爆剤として、次から次へと英単語を覚え、かつ英会話可能になるよう自主学習能力が付く。擬音、擬態、数、配置、時間、固有名等については、別途、一般的なワード練習帳等を用いて練習すればよい。ペニシリン、チキンなど、「ん」で終わる名称は、しりとりでは禁句であるけれども、日本語として確定された事物名称であるから練習対象となる。
【００１５】
五千個足らずのしりとり可能な日本語単語を五十音で分類すると、各五十音に対し、百個前後の数になるので、一音あたり一または二ページで一覧表示することが可能となり、五十ページ前後のノートで所要の単語をまとめることができる。児童がたちまち知りたい単語は五千個程度であり、これを一冊の本に集約できる。五千個の単語は、離乳食としては多すぎる。それでも、英語初心者は、犬、猫、猿等の思いつきやすい単語から順次覚えてゆき、最初は二千個くらい、一、二年後には、五千個くらいの名称を覚えてゆくことができる。
【００１６】
一ページ当たり百個以上の単語を列挙すると、語数が多すぎて見づらく、学習意欲が失われる恐れがある。そのためには、最初から五千個全てを記載せず、後から児童が自ら追加記録できるようにしておけばよい。
【００１７】
グラフで表記するとすれば、過去の英語教育では、中学１年生で千個、三年間で三千個、同じく高校一年間で千個、中、高、併せて合計六千個のレベルであろう。このレベルでは到底英会話出来ないのが道理である。これに対し、本発明の英単語練習帳を用いての学習では、中学一年間で五千個レベルの学習が可能となる。中学三年間で一万五千個の単語を覚えることができ、中学卒業時には英会話可能となる計算となる。最初の離乳食の与え方が肝心ということになる。
【発明の効果】
【００１８】
本発明の英単語練習帳では、しりとり可能な日本語単語に英語を付属させ、日本語単語を見出しとしてその頭を取り、「あいうえお」または「いろは」の五十順で収録しているので、日本語で基本となる用語について、日本語基準で英単語（ワード）を学習できる。
【００１９】
学習する者の目から見れば、日常生活で必要な基本用語を含めた形の単語練習帳となるので、常識的に知っておくべき用語であるとして、所要の単語を効率良く学習できる。
【００２０】
しりとり可能な日本語単語は、実際しりとりゲームで利用される用語であるから、実際しりとりしながら英単語の練習もできる。
【００２１】
しりとり可能な日本語単語は、とりもなおさず日本語の基本用語で、良く思いつく用語であるから、日本語で思いついたことを即ワードに変換し易くなる。
【００２２】
練習帳に余白を設けておけば、初期に記載している単語に加え、新たに思いついた単語を追加記録でき、語数を必要数だけ、例えば五千個くらいまで増加させることができる。
【図面の簡単な説明】
【００２３】
【図１】しりとり単語練習帳の見出し部分を示す。
【図２】日本語単語が「あ」音で始まる単語の見本である。
【図３】日本語単語が「い」音で始まる単語の見本である。
【図４】日本語単語が「る」音で始まる単語の見本である。
【図５】日本語単語が「わ」音で始まる単語の見本である。
【発明を実施するための形態】
【００２４】
以下、添付図面を参照して、本発明を実施するための最適の形態を説明する。図１は、本発明を実施した英単語練習帳の最初のページを示す説明図。図２、図３、図４、図５は、各五十音別の説明図である。
【００２５】
図１に示すように、最初のページには、タイトル欄１と、索引欄２が設けられ、タイトル欄１にはしりとり単語練習帳という特殊な学習方式であることが明記され、その下の索引欄２には、日本語単語基準で、各練習用語を「あいうえお」の五十音順で索引できることが記載されている。
【００２６】
図２、図３、図４、図５は、５０音別に整理されて記載される用語配置例を示し、図２は「あ」の見本、図３は「い」の見本、図４は「る」の見本、図５は「わ」の見本を示す。各図において、同一参照符号で示す部位は、同一機能を果たすために設けられた項目となる。
【００２７】
図２、図３、図４、図５に示すように、ページ上端には、五十音記載欄３があり、ここには日本語単語索引のための五十音が「あいうえお」順で書かれている。
【００２８】
五十音に次いでは、単語記載欄４が設けられ、ここには日本語単語ＪＴと、それに対応するワードＷＴがセットとされて単語セットＴＴが三列に記載されている。列数に制限はないが、多くの単語を見やすく、検索しやすくするための処置となる。
【００２９】
単語セットＴＴは、しりとりゲームでよく使う日本語単語ＪＴに、英訳用語としてワードＷＴを付記した形となっている。
【００３０】
ページ記載の単語数をあまり多くすると見づらく、覚えにくいので、日本語単語ＪＴは代表的なものに限定する。図面記載の例では、全単語数は、約二千個となっている。
【００３１】
各単語セットＴＴの前方には、チエック欄５を設けている。ここには覚えた単語をチエックマークで消すよう説明されている。したがって、学習者は、このチエック欄５にチエックマークを入れることにより、覚えた単語と、まだ覚えていない単語を区別できる。
【００３２】
単語記載欄４の下には、適宜備考欄６を設け、その下には、学習者が、任意に単語セットを追加可能な余白７を設けている。この余白には、利用者が、覚えたい単語を任意に追加でき、これにより、自分専用の単語練習帳とすることができる。
【実施例】
【００３３】
本発明の英単語練習帳では、しりとり可能な日本語単語に英語を付属させ、日本語単語を見出しとしてその頭を取り、「あいうえお」または「いろは」の五十順で収録しているので、基本的日本語用語として確定された事物名称について、日本語基準で英単語（ワード）を覚えることができる。
【００３４】
学習する者の目から見れば、日常生活で必要なものの多くを含めた形の単語練習帳となる。
【００３５】
比較例を示すと、例えば国語辞典は、各種用語を「あいうえお」順で説明しているが、語数は全体で十万語を超え、「あ」だけでも約一万個ある。「い」も約一万個ある。「る」は約六百個、「わ」は約千個、「か」、「し」に至っては、それぞれ二万個くらいある。
【００３６】
このような大辞書に英訳を付けて、必要とする単語を学びとることは不可能である。本発明の英単語練習帳では、重要性から大辞書の用語を数十分の一に絞った形の用語集となる。
【００３７】
また、英語辞書を参照し、その場その場で辞書を引くこともできない、児童等の英単語の練習では、辞書を引いてワードを見ただけではだめで、覚えきるまでノートしておかねばならないからである。
【００３８】
本発明の単語練習帳では、図２に示すように「あ」は四十個、「い」は四十二個、「る」は十六個、「わ」は三十個に集約し、全体で二千個とし、これで大方、間に合うようになっている。不足用語については、その時々に追加すればよい。
【００３９】
しりとり可能な日本語単語と、辞書類の単語とは、その性格が全く異なる。しりとり可能な単語は、英語初心者が最も必要とする用語となっている。一ページ百個記載可能のノートなら、所要単語の全てを五十ページで表現できる。
【００４０】
しかも、練習した単語セットＴＴにはチエックマークを付けることができるので、記憶できたか否かを見ながら、効率良い学習ができる。
【００４１】
しりとり可能な日本語単語は、実際しりとりゲームで利用される用語であるから、実際しりとりしながら英単語の練習もできる。「リンゴ、ゴム、ムカデ、でんでんむし…」などとしりとりしながら、それぞれの英語ワードを発音練習することができる。一人で、しりとりをシミュレーションしながらの学習も可能である。ワード不明の単語については、練習帳を参照し、記載がなければ追加記載する。
【００４２】
これらの練習により、英単語練習帳には、しりとり可能な用語が確実に記録されて行き、一、二年間の練習で三千ないし五千の英単語（ワード）を覚えることができる。しかも、覚えた単語は、英語初心者が最も必要とする単語ばかりになっている。
【００４３】
しりとり可能な日本語単語は、とりもなおさず日本語の基本用語であるから、日本語で思いついたことを即ワードに変換可能となる。
【００４４】
本発明は、上記実施形態に限定されるものではなく、各種態様で実施できる。例えば、日本語単語の見出しとなる五十音は、「あいうえお」でなく、「いろは」の順であってもよい。実施例では、各単語について絵解きしていないが、絵解きすればより効果的となる。
【００４５】
本発明の英単語練習帳によれば、基本的用語について少なくとも二千、好ましくは三千個のワードを覚え、自主学習能力が付くので、中学二年、三年には単語獲得はもちろんのこと簡単な小説までは読めるようになり、単語数を勢い１万程度まで上げることができ、自主学習にて英会話可能となる。
【００４６】
本発明の単語練習帳では、覚えておきたい単語を書き込むことができるので、英語ができなくても常識レベルの英単語を知ることができ、英語嫌いの大人にとっても利用価値がある。ワード表現を自らチエックできるので、チンドン屋を「チンドンアナウンサー」とするなどワードを楽しみながら英語学習ができる。
【産業上の利用可能性】
【００４７】
本発明は、しりとり可能な日本語単語を五十音順に並べて語学教育可能としたものであるから、教科書として、また辞書として、あるいはコミック図書として広く利用できる。
【符号の説明】
【００４８】
１…タイトル欄、２…索引欄、３…五十音記載欄、４…単語記載欄、５…チエック欄、６…備考欄、７…余白、ＴＴ…単語セット、ＪＴ…日本語単語、ＷＴ…英語ワード
【図１】
2015161857.tif 000003
【図２】
2015161857.tif 000004
【図３】
2015161857.tif 000005
【図４】
2015161857.tif 000006
【図５】
2015161857.tif 000007